(57)【要約】【課題】転送すべき放送素材データが記録中の場合にも、即時転送を行えるとともに、再生が途中で途絶えることなく、記録中の放送素材データの全部を確実に再生して転送することが可能な放送素材データ記録再生装置を提供する。【解決手段】蓄積部１３に記録中の放送素材データと同じデータのコピー要求が到来したときに、転送実行に先立ち、制御部１４にて蓄積部１３に対する放送素材データが記録済みであるか否かを判定し、記録中である場合に、転送速度を記録速度に略一致させるように出力部１６を制御するようにしている。【選択図】      図１
2005244714.tif 000002
【特許請求の範囲】
【請求項１】
デジタル放送の放送素材データを記録媒体に記録し、また再生要求に応じて当該記録媒体から放送素材データを再生する放送素材データ記録再生装置であって、
前記記録媒体に記録中の放送素材データと同じデータの再生要求が発生したときに、前記記録媒体に対する前記放送素材データのデータ記録量を監視する監視手段と、
この監視手段の監視結果に基づいて前記記録媒体に記録された放送素材データの再生速度を制御する制御手段とを具備したことを特徴とする放送素材データ記録再生装置。
【請求項２】
前記制御手段は、前記監視手段の監視結果からデータ記録量が所定しきい値以下と判定した場合に、前記再生速度を前記記録媒体に対する放送素材データの記録速度と略一致させることを特徴とする請求項１記載の放送素材データ記録再生装置。
【請求項３】
前記制御手段は、前記監視手段の監視結果からデータ記録量が所定しきい値以下と判定した場合に、最大の再生速度で前記記録媒体上の放送素材データを読み出し、この読み出したデータ量と前記データ記録量とが一致した時点で前記再生速度を前記記録媒体に対する放送素材データの記録速度と略一致させることを特徴とする請求項１記載の放送素材データ記録再生装置。
【請求項４】
デジタル放送の放送素材データを第１の記録媒体に記録し、また再生要求に応じて当該第１の記録媒体から放送素材データを再生する第１の情報記録再生装置と、この第１の情報記録再生装置に対し通信ネットワークを介して接続され、デジタル放送の放送素材データを第２の記録媒体に記録し、また再生要求に応じて当該第２の記録媒体から放送素材データを再生する第２の情報記録再生装置とを具備し、
前記第１の情報記録再生装置は、
前記第２の情報記録再生装置から前記第１の記録媒体に記録中の放送素材データと同じデータの再生要求が到来したときに、前記第１の記録媒体に対する前記放送素材データのデータ記録量を監視する監視手段と、
この監視手段の監視結果に基づいて前記第１の記録媒体に記録された放送素材データの再生速度を制御する制御手段と、
この制御手段により前記第１の記録媒体から再生された放送素材データを前記通信ネットワークを介して前記第２の情報記録再生装置に送信する送信手段とを備え、
前記第２の情報記録再生装置は、
前記第１の情報記録再生装置から通信ネットワークを介して到来した放送素材データを受信し前記第２の記録媒体に記録する処理手段を備えたことを特徴とする放送素材データ処理システム。
【請求項５】
デジタル放送の放送素材データを記録媒体に記録し、また再生要求に応じて当該記録媒体から放送素材データを再生する放送素材データ記録再生装置で使用される制御方法であって、
前記記録媒体に記録中の放送素材データと同じデータの再生要求が発生したときに、前記記録媒体に対する前記放送素材データのデータ記録量を監視し、
この監視結果に基づいて前記記録媒体に記録された放送素材データの再生速度を制御することを特徴とする放送素材データ記録再生装置の制御方法。
【発明の詳細な説明】
【技術分野】
【０００１】
この発明は、デジタル放送の放送局内で使用され、特に送出中の系統に設けられる記録再生装置で取り扱う放送素材データを待機中の系統に設けられる記録再生装置にコピーできるようにしたシステムの放送素材データ記録再生装置、放送素材データ処理システム及び放送素材データ記録再生装置の制御方法に関する。
【背景技術】
【０００２】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生する番組／ＣＭ／映像・音声ファイル蓄積装置（以下、素材記録再生装置と称する）が使用されている（例えば特許文献１）。
【０００３】
また、上記放送局では、機器の故障対策及び保守のために、現用・予備の二重化構成とすることが一般的となっており、このため現用系及び予備系それぞれに素材記録再生装置が用いられることになる。この場合、現用系において、放送素材データを素材記録再生装置に記録しておき、しかる後に、予備系の素材記録再生装置に現用系の放送素材データを転送してコピーすることとなる。
【０００４】
【特許文献１】特願２０００−０７５８４４号。
【発明の開示】
【発明が解決しようとする課題】
【０００５】
ところで、上記コピー機能においては、現用系から予備系に対し放送素材データを転送可能な最大転送速度で転送し、コピーを行うようにしている。ここで、コピーする放送素材データが記録中のときは、コピー速度が記録速度より速いため、いずれはコピー箇所が記録済み箇所を追い越してしまい、その時点で未記録の部分についてはコピーされない。
【０００６】
このようなことから、放送素材データのコピーを行う前に、該放送素材データが記録中か否かを判別する必要があり、記録中であれば、その記録が終わるまで待って、コピーを行う必要がある。この待機中に、現用系の素材記録再生装置が故障した場合、記録中の放送素材データが消えてしまうとともに、読み出すことができず、予備系の素材記録再生装置に放送素材データの全部をコピーすることができないことがあった。
【０００７】
そこで、この発明の目的は、再生すべき放送素材データが記録中の場合にも、即時再生を行えるとともに、再生が途中で途絶えることなく、記録中の放送素材データの全部を確実に再生することが可能な放送素材データ記録再生装置、放送素材データ処理システム及び放送素材データ記録再生装置の制御方法を提供することにある。
【課題を解決するための手段】
【０００８】
この発明は、上記目的を達成するために、以下のように構成される。  
デジタル放送の放送素材データを記録媒体に記録し、また再生要求に応じて当該記録媒体から放送素材データを再生する放送素材データ記録再生装置であって、記録媒体に記録中の放送素材データと同じデータの再生要求が発生したときに、記録媒体に対する放送素材データのデータ記録量を監視する監視手段と、この監視手段の監視結果に基づいて記録媒体に記録された放送素材データの再生速度を制御する制御手段とを備えるようにしたものである。
【０００９】
この構成によれば、記録媒体に記録中の放送素材データと同じデータの再生要求が発生したときに、再生実行に先立ち、記録媒体に対する放送素材データの記録量、つまり記録済みであるか否かを判定し、この判定結果に基づいて全ての放送素材データを再生できるように再生速度を制御するようにしている。このため、記録媒体に対する放送素材データのデータ記録量ごとに適切な再生処理を行うことができ、これにより外部で行う処理を大幅に軽減できる。
【００１０】
制御手段は、監視手段の監視結果からデータ記録量が所定しきい値以下と判定した場合に、再生速度を記録媒体に対する放送素材データの記録速度と略一致させることを特徴とする。  
この構成によれば、記録媒体に対する放送素材データの記録量が所定しきい値以下であるか否か、つまり記録中であるか否かを判定し、記録中である場合に、再生速度を記録速度に略一致させるようにしている。このため、再生箇所が記録箇所を追い越すことなく、これにより記録終了まで待つことなく、常に確実に記録中の放送素材データの全部を再生することができる。
【００１１】
制御手段は、監視手段の監視結果からデータ記録量が所定しきい値以下と判定した場合に、最大の再生速度で記録媒体上の放送素材データを読み出し、この読み出したデータ量とデータ記録量とが一致した時点で再生速度を記録媒体に対する放送素材データの記録速度と略一致させることを特徴とする。
【００１２】
この構成によれば、読み出したデータ量とデータ記録量とが一致した時点で再生速度を切り替えるようにすることで、記録媒体に記録済みの放送素材データについては最大再生速度で再生し、一方記録中の放送素材データについては記録速度に略一致した再生速度で再生するというように、記録状態ごとに最適な再生処理を行うことができる。従って、常に記録速度に一致した再生速度で放送素材データを再生する場合に比べ、短時間で再生処理を行うことができる。
【発明の効果】
【００１３】
以上詳述したようにこの発明によれば、再生すべき放送素材データが記録中の場合にも、即時再生を行えるとともに、再生が途中で途絶えることなく、記録中の放送素材データの全部を確実に再生することが可能な放送素材データ記録再生装置、放送素材データ処理システム及び放送素材データ記録再生装置の制御方法を提供することができる。
【発明を実施するための最良の形態】
【００１４】
以下、この発明の実施形態について図面を参照して詳細に説明する。  
（第１の実施形態）  
図１は、この発明の第１の実施形態に係わるデジタル放送の素材送出システムの概略構成図である。
【００１５】
図１において、符号１は素材記録再生装置で、その入力端子にエンコーダ２が接続され、出力端子にデコーダ３が接続される。また、素材記録再生装置１には、予備系として機能する素材記録再生装置４がＬＡＮ（Local Area Network）５を介して接続される。
放送すべき映像・音声信号等の放送素材信号は、エンコーダ２により圧縮符号化が施されて放送素材データに生成され、素材記録再生装置１に一旦記録される。そして、素材記録再生装置１から再生された放送素材データは、デコーダ３により元の放送素材信号に復号される。
【００１６】
素材記録再生装置１において、データバス１１上には入力部１２、ハードディスク装置等から成る蓄積部１３、制御部１４、出力部１５，１６が接続される。入力部１２は、エンコーダ２で生成された放送素材データを取り込み、制御部１４による制御の下、蓄積部１３の然るべき領域に記録する。
【００１７】
制御部１４は、蓄積部１３に蓄積される放送素材データを管理し、再生指示入力に応じて、出力部１５，１６に対して蓄積部１３の転送開始アドレス及び転送バイト数を指定する。
出力部１５は、制御部１４により指定されたアドレスから指定されたバイト数だけ、蓄積部１３に蓄積された放送素材データをデコーダ３に転送する。また、出力部１６は、制御部１４により指定されたアドレスから指定されたバイト数だけ、蓄積部１３に蓄積された放送素材データを素材記録再生装置４に転送する。
【００１８】
素材記録再生装置４において、データバス４１上には入力部４２、ハードディスク装置等から成る蓄積部４３、制御部４４、出力部４５が接続される。入力部４２は、素材記録再生装置１から転送された放送素材データを取り込み、制御部４４による制御の下、蓄積部４３の然るべき領域に記録する。出力部４５は、制御部４４により指定されたアドレスから指定されたバイト数だけ、蓄積部４３に蓄積された放送素材データを出力する。
【００１９】
ところで、この第１の実施形態において、上記制御部１４は、記録状態確認機能、記録速度参照機能、記録箇所監視機能及び転送速度制御機能を備えている。記録状態確認機能は、再生要求された放送素材データが記録中であるか記録済みであるかを確認する。
記録速度参照機能は、要求された放送素材データが記録中である場合に、その記録速度を参照する。記録箇所監視機能は、蓄積部１３に対する放送素材データの記録箇所、つまり記録バイト数を監視する。転送速度制御機能は、放送素材データが記録中、つまり記録バイト数が所定しきい値以下と判定した場合に、再生すべき放送素材データの転送速度を記録速度にほぼ一致させるように出力部１６の制御を行う。
【００２０】
次に、上記構成による動作について説明する。  
図２は、蓄積部１３に記録された放送素材データの記録量と時間との対応関係を示す図であり、図３は制御部１４の処理手順及び処理内容を示すフローチャートである。なお、図２において、縦軸は記録された放送素材データのサイズ、つまりデータ記録量を示し、横軸は時間を示している。  
【００２１】
ここで、蓄積部１３に対する放送素材データの記録中に、上位の自動番組送出制御装置から該放送素材データのコピー要求があったとする。このとき、制御部１４は、図３に示す制御処理を開始する。
まず、制御部１４はコピー要求信号を受信し（ステップＳＴ３ａ）、要求された放送素材データが蓄積部１３に記録中であるか記録済みであるかの判断を行う（ステップＳＴ３ｂ）。
【００２２】
そして、記録中であることが確認された場合に、制御部１４は記録速度を参照し（ステップＳＴ３ｃ）、放送素材データの転送速度を記録速度に一致させるように出力部１６を制御し、素材記録再生装置４に再生した放送素材データを転送させる（ステップＳＴ３ｄ）。
以後、放送素材データの転送処理が終了すると（ステップＳＴ３ｅ）、制御部１４はコピー完了の旨を要求元に対し通知する（ステップＳＴ３ｆ）。  
【００２３】
一方、上記ステップＳＴ３ｂにおいて、要求された放送素材データが蓄積部１３に記録済みである場合、制御部１４は最大の転送速度で蓄積部１３から放送素材データを再生して素材記録再生装置４に転送するように出力部１６を制御する（ステップＳＴ３ｇ）。
なお、上記処理において、ユーザからのコピー要求や素材記録再生装置４からのコピー要求を受け付けるようにしてもよい。
【００２４】
以上のように上記第１の実施形態では、蓄積部１３に記録中の放送素材データと同じデータのコピー要求が到来したときに、転送実行に先立ち、制御部１４にて蓄積部１３に対する放送素材データが記録済みであるか否かを判定し、記録中である場合に、転送速度を記録速度に略一致させるように出力部１６を制御するようにしている。
従って、再生箇所が記録箇所を追い越すことなく、これにより記録終了まで待つことなく、常に確実に記録中の放送素材データの全部を素材記録再生装置４に転送してコピーすることができる。
【００２５】
（第２の実施形態）  
この発明の第２の実施形態は、上記制御部１４に関する。ここでは、制御部１４は、再生要求された放送素材データが蓄積部１３に記録中である場合に、最大の転送速度で蓄積部１３の放送素材データを再生し、この再生したデータ量と記録中のデータ量とが一致した時点で転送速度を蓄積部１３に対する放送素材データの記録速度と略一致させる機能を有する。
【００２６】
図４は、第２の実施形態における蓄積部１３に記録された放送素材データの記録量と時間との対応関係を示す図であり、図５は制御部１４の処理手順及び処理内容を示すフローチャートである。  
ここで、蓄積部１３に対する放送素材データの記録中に、上位の自動番組送出制御装置から該放送素材データのコピー要求があったとする。このとき、制御部１４は、図５に示す制御処理を開始する。
【００２７】
まず、制御部１４はコピー要求信号を受信し（ステップＳＴ５ａ）、要求された放送素材データが蓄積部１３に記録中であるか記録済みであるかの判断を行う（ステップＳＴ５ｂ）。
そして、記録中であることが確認された場合に、制御部１４は転送箇所が記録箇所に追いついたか否かの判断を行い（ステップＳＴ５ｃ）、
【００２８】
ここではまだ追いついていないので、制御部１４は最大の転送速度で蓄積部１３から放送素材データを読み出すように出力部１６を制御し（ステップＳＴ５ｄ）、転送箇所が記録箇所に追いつくまでステップＳＴ５ｃ及びステップＳＴ５ｄの処理を繰り返し実行する。
そして、転送箇所が記録箇所に追いついた場合に、制御部１４は記録速度を参照し（ステップＳＴ５ｅ）、放送素材データの転送速度を記録速度に一致させるように出力部１６を制御し、素材記録再生装置４に再生した放送素材データを転送させる（ステップＳＴ５ｆ）。
【００２９】
以後、放送素材データの転送処理が終了すると（ステップＳＴ５ｇ）、制御部１４はコピー完了の旨を要求元に対し通知する（ステップＳＴ５ｈ）。  
一方、上記ステップＳＴ５ｂにおいて、要求された放送素材データが蓄積部１３に記録済みである場合、制御部１４は最大の転送速度で蓄積部１３から放送素材データを再生して素材記録再生装置４に転送するように出力部１６を制御する（ステップＳＴ５ｉ）。
【００３０】
以上のように上記第２の実施形態では、蓄積部１３に記録中の放送素材データと同じデータのコピー要求が到来したときに、再生実行に先立ち、制御部１４にて蓄積部１３に対する放送素材データが記録済みであるか否かを判定し、記録中である場合に、蓄積部１３に記録済みの放送素材データについては最大転送速度で再生し、転送箇所が記録箇所に追いついた時点で記録中の放送素材データを記録速度に略一致した転送速度で素材記録再生装置４に転送してコピーするようにしている。  
従って、記録状態ごとに最適な転送処理を行うことができ、これにより上記第１の実施形態に比べ、短時間で放送素材データのコピーを行うことができる。
【００３１】
（その他の実施形態）  
この発明は上記各実施形態に限定されるものではない。例えば上記第１の実施形態では、コピーすべく放送素材データが記録中である場合に、記録速度と略一致した転送速度で放送素材データを再生するようにした。しかし、それに限ることなく、ＣＭのように放送素材データの長さが予め決まっているものであれば、転送開始時から記録終了時まで記録速度より速い転送速度で放送素材データを再生するようにしてもよい。この場合、蓄積部に対する放送素材データの記録量を細かく監視できるものであれば実現可能である。
その他、素材送出システムの種類や構成、素材記録再生装置の構成、制御部の機能、転送処理制御手順及び処理内容等についても、この発明の要旨を逸脱しない範囲で種々変形して実施できる。
【図面の簡単な説明】
【００３２】
【図１】この発明の第１の実施形態に係わるデジタル放送の素材送出システムの概略構成図。
【図２】同第１の実施形態において、蓄積部に記録された放送素材データの記録量と時間との対応関係を示す図。
【図３】同第１の実施形態における制御部の処理手順及び処理内容を示すフローチャート。
【図４】この発明の第２の実施形態における蓄積部に記録された放送素材データの記録量と時間との対応関係を示す図。
【図５】同第２の実施形態における制御部の処理手順及び処理内容を示すフローチャート。
【符号の説明】
【００３３】
１，４…素材記録再生装置、２…エンコーダ、３…デコーダ、５…ＬＡＮ（Local Area Network）、１１，４１…データバス、１２，４２…入力部、１３，４３…蓄積部、１４，４４…制御部、１５，１６，４５…出力部。
【図１】
2005244714.tif 000003
【図２】
2005244714.tif 000004
【図３】
2005244714.tif 000005
【図４】
2005244714.tif 000006
【図５】
2005244714.tif 000007